(57)【要約】【課題】各ギアー軸を固定するための金属プレートの小型化を図るとともに、各ギアー軸心間の寸法誤差を容易に補正することができるスロットルボデーを提供する。【解決手段】ギアー類の内の１つである中間ギアー１３のギアー軸１４を、モータ１０に一体的に固定された金属製のプレート１１に固定するとともに、プレート１１に穿設されたモータ固定用取付穴１１ａを長円形状としたので、モータ１０の駆動ギアー１５と中間ギアー１３の軸心間の寸法誤差はほとんど生じず、中間ギアー１３とスロットルギアー６の軸心間の成形時の寸法誤差は長円形状の取付穴１１ａにより組付け時に補正が可能となる。したがって、ギアーの異常摩耗が防止されスロットルバルブ制御精度のよいスロットルボデーを安価に提供することが可能となる。【選択図】        図１
2004162680.tif 000002
【特許請求の範囲】
【請求項１】
合成樹脂製のスロットルボデー本体内に、スロットルバルブが固定されたスロットルシャフトおよび前記スロットルシャフトを回動するためのモータおよび前記モータの駆動力を前記スロットルシャフトに伝達するためのギアー類等を内蔵するよう構成された電動式スロットルボデーにおいて、前記ギアー類の内の１つである中間ギアーのギアー軸を、前記モータに一体的に固定された金属製のプレートに固定するとともに、該プレートに穿設されたモータ固定用取付穴を長円形状としたことを特徴とする電動式スロットルボデー。
【請求項２】
前記モータ固定用取付穴の長円形状が、前記モータの軸心に対して円周方向に長い長円形状であることを特徴とする請求項１記載の電動式スロットルボデー。
【発明の詳細な説明】
【０００１】
【発明の属する技術分野】
本発明は内燃機関の吸入空気量制御のため使用される電動式スロットルボデーに関し、詳しくは、ギアー類の組付け精度を向上して耐久性・信頼性を高めることができるスロットルボデーに関するものである。
【０００２】
【従来の技術】
自動車部品の軽量化を目的に改良された合成樹脂製のスロットルボデー本体内に、スロットルバルブが固定されたスロットルシャフト、スロットルシャフトを回動するためのモータ、モータの駆動力をスロットルシャフトに伝達するためのギアー類等を内蔵するよう構成された電動式スロットルボデーにおいては、スロットルボデー本体の成形時や部品の組付け時に歪が発生し、ギアー軸間の寸法精度が低下することにより、ギアーの歯が異常摩耗したりギアーの円滑な作動を損なうおそれがある。その対策として各ギアー間の精度を確保するためギアーの軸心となるシャフト類を１枚の金属プレートにより保持する技術が公開されている（例えば、特許文献１参照）。
【０００３】
【特許文献１】
特開２００１−３０３９８３号公報（第４頁、
【００１９】参照）
【０００４】
【発明が解決しようとする課題】
しかしながら、前記公報による技術においては、金属プレートが大きくなり、スロットルボデー本体との一体成形時または金属プレートの固定時にスロットルボデー本体にはやはり歪が生じやすい。歪が生じた場合は各ギアー軸心間の寸法誤差の補正が非常に困難となる。また、金属プレートが大きいためコスト高は否めない。そこで本発明は、各ギアー軸を固定するための金属プレートの小型化を図るとともに、各ギアー軸心間の寸法誤差を容易に補正することができるスロットルボデーを提供することを課題とするものである。
【０００５】
【課題を解決するための手段】
前記課題の解決を目的としてなされた請求項１の発明は、合成樹脂製のスロットルボデー本体内に、スロットルバルブが固定されたスロットルシャフトおよび前記スロットルシャフトを回動するためのモータおよび前記モータの駆動力を前記スロットルシャフトに伝達するためのギアー類等を内蔵するよう構成された電動式スロットルボデーにおいて、前記ギアー類の内の１つである中間ギアーのギアー軸を、前記モータに一体的に固定された金属製のプレートに固定するとともに、該プレートに穿設されたモータ固定用取付穴を長円形状としたことを特徴とする。また、請求項２の発明は、前記モータ固定用取付穴の長円形状が、前記モータの軸心に対して円周方向に長い長円形状であることを特徴とする。
【０００６】
【作用】
上述のように、請求項１および２の発明においては、ギアー類の内の１つである中間ギアーのギアー軸を、モータに一体的に固定された金属製のプレートに固定するとともに、プレートに穿設されたモータ固定用取付穴を長円形状としたので、モータの駆動ギアーと中間ギアーの軸心間の寸法誤差はほとんど生じず、また、中間ギアーとスロットルギアーの軸心間の成形時の寸法誤差は長円形状の取付穴により組付け時に補正が可能となる。したがって、ギアーの異常摩耗が防止されスロットルバルブ制御精度のよいスロットルボデーを安価に提供することが可能となる。
【０００７】
【発明の実施の形態】
本発明の望ましい実施形態について図面を参照して説明する。図１は本発明の一実施形態に係るスロットルボデーの横断面図、図２はそのギアー室内側面透視図、図３はそのモータ部の側面図である。図１、図２、図３において、スロットルボデー１を構成する合成樹脂製のスロットルボデー本体２中央には吸気通路２ａが設けられ、吸気通路２ａを横切ってスロットルシャフト３が回動可能に軸支されている。スロットルシャフト３にはスロットルバルブ４がネジ５により固定され、ともに回動することにより吸気通路２ａを流れる吸入空気量を調整する。スロットルシャフト３の一端にはスロットルギアー６が固定されスロットルギアー６の回動によりスロットルバルブ４が回動される。スロットルギアー６にはねじりバネ７の一端が係止され、ねじりバネ７の他端は本体２に係止されスロットルバルブ４の閉じ方向に付勢している。スロットルギアー６の一部はスロットルバルブ４全閉位置近傍において調整ネジ８に当接し、調整ネジ８の回転によりバルブ開度が調整されるよう構成されている。スロットルギアー６に中央部には凹部６ａが設けられ凹部６ａには磁石９が埋め込まれている。
【０００８】
本体２には有底円筒部２ｂが形成され、中にモータ１０が収容されている。モータ１０はモータ１０に一体的に固定された金属製のプレート１１を介してネジ１２により本体２に固定されている。プレート１１に穿設される取付穴１１ａはモータ１０の軸心を中心にプレート１１が若干回転できるよう円周方向に長い長円形状に形成され、プレート１１の組付け角度を調整することができるよう構成されている。プレート１１には中間ギアー１３を支持するためのギアー軸１４がロウ付けまたはカシメ付けあるいは圧入等により固定されている。前述の取付穴１１ａ長円形状はこのギアー軸１４の位置を調整するためのものである。
【０００９】
モータ１０の出力軸１０ａには駆動ギアー１５が固定され、ギアー軸１４に嵌合されて自由回動する中間ギアー１３の径大歯部１３ａに噛合している。中間ギアー１３の径小歯部１３ｂはスロットルギアー６に噛合している。なお、この取付穴１１ａの長円形状は、中間ギアー１３とスロットルギアー６との噛合いを調整することができれば、図２または図３における上下左右または斜め方向の何れかに移動させることができる長円形状でもよく、必ずしもモータ軸心に対して円周方向に長い長円形状だけに限定されるものではない。
【００１０】
ギアー類（６，１３，１５）を収容するギアー室２ｃを覆ってカバー部１６が組み付けられている。カバー部１６を構成するカバー本体１７には、カバー部１６が本体２に組み付けられた時ギアー軸１４に嵌合する係止部１７ａと、磁石９に対応する位置に埋設された開度センサ１８が設けられている。開度センサ１８はスロットルギアー６の開度、すなわちスロットルバルブ４の開度を検出し、その検出信号はカバー本体１７内を経てエンジンを制御するためのＥＣＵに送られるよう構成されている。モータ１０の電源も同様にしてカバー本体２を経てＥＣＵに連結されている。
【００１１】
【発明の効果】
本発明は上述のように構成されているので以下の効果を奏する。すなわち、請求項１および２の発明においては、ギアー類の内の１つである中間ギアーのギアー軸を、モータに一体的に固定された金属製のプレートに固定するとともに、プレートに穿設されたモータ固定用取付穴を長円形状としたので、モータの駆動ギアーと中間ギアーの軸心間の寸法誤差はほとんど生じず、中間ギアーとスロットルギアーの軸心間の成形時の寸法誤差は長円形状の取付穴により組付け時に補正が可能となる。したがって、ギアーの異常摩耗が防止されスロットルバルブ制御精度のよいスロットルボデーを安価に提供することが可能となる。
【図面の簡単な説明】
【図１】本発明の一実施形態に係るスロットルボデーの横断面図である。
【図２】図１のギアー室内側面透視図である。
【図３】図１のモータ部の側面図である。
【符号の説明】
１    スロットルボデー
２    本体
３    スロットルシャフト
４    スロットルバルブ
６    スロットルギアー
１０    モータ
１１    プレート
１１ａ  取付穴
１３    中間ギアー
１４    ギアー軸
１５    駆動ギアー
【図１】
2004162680.tif 000003
【図２】
2004162680.tif 000004
【図３】
2004162680.tif 000005